(57)【特許請求の範囲】
【請求項１】
利用者を空気圧によって支持するためのエアーマットレス装置において、
エアーバッグと、
このエアーバッグを保持し外装地によって被覆されたマットレス本体と、
このマットレス本体内に設けられ上記エアーバッグに圧縮空気を供給するエアー供給手段とを具備し、
上記マットレス本体には収納部が形成され、この収納部に上記エアー供給手段の少なくともエアー供給ポンプが収納されていて、
上記収納部は上記マットレス本体の一側面に開口して形成されていて、この収納部に収納されたエアー供給ポンプは上記マットレス本体を被覆した外装地を介して外部空気を吸引する構成であることを特徴とするエアーマットレス装置。
【請求項２】
上記収納部に収納されたエアー供給ポンプは、上記マットレス本体に設けられた保持部材によって上記収納部から脱落するのが阻止されていることを特徴とする請求項１記載のエアーマットレス装置。
【発明の詳細な説明】
【０００１】
【発明の属する技術分野】
この発明は利用者を空気圧によって弾性的に保持するためのエアーマットレス装置に関する。
【０００２】
【従来の技術】
たとえば、利用者が自力で身体を自由に動かすことが困難な場合、その利用者の上半身を起こすことができる起床式のベッド装置が用いられる。起床式のベッド装置においては、その床板上に載置されるマットレス装置が、床板の一部の起伏に応じて屈曲可能な構成であることが要求される。
【０００３】
マットレス装置を屈曲可能とするには、たとえばクッション体にスプリングユニットを用いたマットレス装置の場合にはそのスプリングユニットを屈曲できる構成とすればよいが、その場合には構成の複雑化や屈曲時の抵抗が大きく、円滑に屈曲しにくいなどのことがある。
【０００４】
比較的屈曲させ易いマットレス装置として発泡ポリウレタンなどの弾性材料を用いたクッション体が使用されている。弾性材料からなるクッション体の場合、長期の使用によってへたりによる性能劣化が生じることが避けられないということがあるばかりか、硬さが一定であるから、利用者の好みの硬さに設定することができないということがある。
【０００５】
さらに、弾性材料からなるクッション体は荷重によって圧縮されることで、その荷重に応じた反発力が生じる。そのため、たとえば利用者の臀部などのように人体の重い部分は大きな反発力を受けるから、その部分が圧迫されて寝心地が低下したり、床ずれが生じ易いなどのことがある。
【０００６】
そこで、弾性材料からなるクッション体に代わり、エアーマットレス装置が採用されることがある。エアーマットレス装置によれば、それに供給する圧縮空気の圧力を調整することで硬さを変えることができ、さらには損傷しない限りは経時的にへたりが生じることがないばかりか、比較的屈曲させ易いため、起床式のベッド装置に利用できるなどのことがある。
【０００７】
ところで、エアーマットレス装置は、周知のようにエアーバッグを有し、このエアーバッグには供給管を介してエアーポンプが接続されている。そして、このエアーポンプから上記エアーバッグに圧縮空気を供給することで、その空気圧で利用者を弾性的に支持できるようになっている。
【０００８】
上記エアーバッグは、利用者の体重や好みなどによって圧力、つまり硬さを調整することが要求される。エアーバッグにエアーを供給するには電動式や手動式のエアー供給ポンプを設けるとともに、エアーバッグの圧力を調整する場合の圧力調整器や各エアーバッグへ順次送気する給排気弁、送排気切換機構などの制御機器が必要である。
【０００９】
従来、上述したエアー供給ポンプやその他の器は、マットレスとは別に配置され、マットレスとはエアーホースで連結するようになっている。このため、上記エアー供給ポンプやその他の機器あるはエアー供給ポンプとエアーバッグとを接続するエアーチューブがベッドメーキングや歩行の邪魔になるということがあった。さらには、エアーマットレス装置は厚さ方向の通気性が悪いため、利用者の身体が蒸れ易く、それが原因で床ずれの発生を招くということもあった。
【００１０】
【発明が解決しようとする課題】
このように、従来のエアーマットレス装置は、エアー供給ポンプやその他の機器がマットレスとは別体となっていて、マットレスとはエアーホースで接続するようになっていた。そのため、エアー供給ポンプなどの機器の設置場所が確保し難いということがあったり、それらの機器がベッドメーキングのときなどに邪魔になったり、さらには歩行の障害になる虞があった。
【００１１】
この発明は、エアー供給ポンプやその他の機器を外部に露出させずにすむようにしたエアーマットレス装置を提供することにある。
【００１２】
さらに、この発明は、利用者の身体がむれにくくすることで、床ずれの発生を抑制できるようにしたエアーマットレス装置を提供することにある。
【００１３】
【課題を解決するための手段】
請求項１の発明は、利用者を空気圧によって支持するためのエアーマットレス装置において、
エアーバッグと、
このエアーバッグを保持し外装地によって被覆されたマットレス本体と、
このマットレス本体内に設けられ上記エアーバッグに圧縮空気を供給するエアー供給手段とを具備し、
上記マットレス本体には収納部が形成され、この収納部に上記エアー供給手段の少なくともエアー供給ポンプが収納されていて、
上記収納部は上記マットレス本体の一側面に開口して形成されていて、この収納部に収納されたエアー供給ポンプは上記マットレス本体を被覆した外装地を介して外部空気を吸引する構成であることを特徴とする。
【００１４】
それによって、エアー供給手段をマットレス本体と別々に設置せずにすむから、邪魔になることがないばかりか、専用の設置場所を確保せずにすむ。
【００２６】
また、収納部に収納されたエアー供給ポンプは外装地をフィルタとして外部の空気を吸引するから、エアー供給ポンプのフィルタが早期に汚れるのを防止できる。
【００２７】
請求項２の発明は、請求項１の発明において、上記収納部に収納されたエアー供給ポンプは、上記マットレス本体に設けられた保持部材によって上記収納部から脱落するのが阻止されていることを特徴とする。
【００２８】
それによって、収納部に収納されたエアー供給ポンプを確実に保持することができる。
【００２９】
【発明の実施の形態】
以下、この発明の一実施例の形態を図１乃至図７を参照して説明する。
【００３０】
図３はベッド装置１を示し、このベッド装置１は矩形枠状のべッドフレーム２を備えている。このベッドフレーム２の四隅部には下端にストッパ付きのキャスタ３が設けられた脚４が垂設されていて、上記ベッドフレーム２を移動させることができるようになっている。
【００３１】
上記ベッドフレーム２の長手方向一端にはへッドボード５が立設され、他端にはフットボード６が立設されている。さらに、ベッドフレーム２上には床板７が配設されている。この床板７は複数の床部に分割されている。この実施形態では第１乃至第４の４つの床部７ａ〜７ｄに分割されている。
【００３２】
上記へッドボード６側から二番目の第２の床部７ｂは上記ベッドフレーム２に固定され、この第２の床部７ｂの一側に上記第１の床部７ａが回動自在に連結され、他側には上記第３の床部７ｃと第４の床部７ｄとが順次回動自在に連結されている。
【００３３】
上記ベッドフレーム２の下面側には背上げ用の駆動機構８が設けられている。この駆動機構８はケース９を有し、このケース９の一側には駆動源１１が設けられている。
【００３４】
上記ケース９の一端側には第１のアーム１２が回動自在に設けられ、他端側には第２のアーム１３が回動自在に設けられている。これらのアーム１２、１３は上記駆動源によって回動駆動されているようになっている。
【００３５】
上記第１のアーム１２の先端には第１のローラ１４が回動自在に設けられている。この第１のローラ１４は上記第１の床部７ａの下面に設けられたレール部材１５に当接している。したがって、上記第１のアーム１２が矢印万向に回動駆動されると、上記第１の床部７ａが起上方向に駆動されるようになっている。
【００３６】
上記第２のアーム１３の先端には第２のローラ１６が回転自在に設けられている。この第２のローラ１６は上記第３の床部７ｃの下端に設けられた傾斜板１７に当接している。したがって、上記駆動源１１が作動して上記第２のアーム１が矢印で示す方向に回動駆動されると、上記第３の床部７ｃが起上方向に駆動されるようになっている。
【００３７】
上記第３の床部７ｃの回動には上記第４の床部７ｄが連動する。この第４の床部７ｄの先端部と上記ベッドフレーム２との間にはリンク１８が両端を回動自在に連結して設けられている。したがって、上記第３の床部７ｃに連動した第４の床部７ｄはほぼ水平な状態で保持されるようになっている。
【００３８】
上記床板７ｄ上にはエアーマットレス装置２１が載置される。このエアーマットレス装置２１は、図１と図２に示すようにマットレス本体２０を構成する、弾性材料によって形成された矩形板状の保持部材２２を有する。この保持部材２２はウレタンホーム、発泡ポリエチレンあるいは発泡ゴムなどのような通気性（連続発泡）を有する材料によって形成されている。
【００３９】
この保持部材２２の周辺部には、保持部材２２よりも硬質であるとともに保持部材２２とともに屈曲可能な弾性材料によって角柱状に形成された補強部材２４がその側面の高さ方向下端部だけを上記保持部材２２の外周面に接着固定し、下端部以外の部分と上記保持部材２２との間に所定の隙間Ｓ（通路）を有している。そして、この隙間Ｓに後述するエアーバッグとしてのエアーチューブ２６に圧縮空気を供給する同じく後述する供給管２７，２８が通されるようになっている。
【００４０】
上記補強部材２４の高さ方向下端部だけが保持部材２２に接着固定されていることにより、保持部材２２を屈曲させる際に、補強部材２４が折り曲げの大きな抵抗となることが防止される。しかも、保持部材２２と補強部材２４との隙間Ｓに供給管２７，２８をを通したことで、保持部材２２を屈曲させても、供給管２７，２８が屈曲され過ぎて潰れるようなこともない。
【００４１】
上記補強部材２４は上記保持部材２２と同様、通気性を有する弾性材料によって形成されていて、これら保持部材２２と補強部材２４とでマットレス本体２０を構成している。
【００４２】
なお、マットレス本体２０には、その長手方向一端側に位置する補強部材２４の外面に、この補強部材２４よりも軟らかな弾性材料によって角柱状に形成された軟質部材２４Ａが接合固定されている。
【００４３】
上記保持部材２２および補強部材２４、つまりマットレス本体２０は外装地２３によって被覆されている。外装地２３は、通気性を有する布地を袋状に縫製してなり、その内部に上記マットレス本体２０が収容されている。
【００４４】
なお、外装地２３は袋状でなくシーツ状とし、周辺部をマットレス本体２０の下面側に折り込むことで、このマットレス本体２０の上面及び外周面を覆うようにしてもよい。外装地２３に用いられる布地としては、通気性は有するが、液体は通さない布地を用いるようにしてもよく、そのような布地を用いることで、利用者の身体からの湿気が外装地２３を通過して保持部材２２や補強部材２４にこもるのを防止できる。
【００４５】
上記保持部材２２には、その幅方向に沿う保持部としての複数の保持溝２５が長手方向に対して所定間隔で形成されている。この保持溝２５は図４に示すように断面円形状をなしているとともに、上記保持部材２２の上面に所定の幅寸法で開放した開口部２５ａを備えている。この開口部２５ａの幅寸法は上記保持溝２５の直径寸法の約半分に設定されている。それによって、エアーチューブ２６が保持溝２５から抜けにくくなっているとともに、図４に示す隣り合う開口部２５ａ間の幅寸法Ｗを大きくすることができるようになっている。この実施の形態では、上記幅寸法Ｗはエアーチューブ２６の外形寸法とほぼ同じに設定されており、それによって利用者の身体を通気性のよい保持部材２２で支持できる面積を増大させている。
【００４６】
上記保持溝２５には、この保持溝２５とほぼ同じ外形寸法と長さ寸法の上記エアーチューブ２６が上記保持部材２２の開口部２５ａの両側を弾性的に変形させて着脱自在に装着されている。このエアーチューブ２６は通気性のないシート材料、たとえばゴム引き布などによって円柱のチューブ状に形成されていて、その外周面の一部を上記開口部２５ａに露出させている。
【００４７】
各保持溝２５に装着された複数のエアーチューブ２６は、図５に示すように複数のグループに分けられている。この実施の形態では保持部材２２の長手方向において、隣り合うエアーチューブ２６が交互に第１のグループＧ１と第２のグル一プＧ２とに分けられている。
【００４８】
第１のグループＧ１のエアーチューブ２６には第１の供給管２７から分岐された分岐管２７ａがそれぞれ接続され、第２のグループＧ２のエアーチューブ２６には第２の供給管２８から分岐された分岐管２８ａがそれぞれ接続されている。第１、第２の供給管２７、２８は、それぞれ切換送排気機構４５を介して圧縮空気の供給源であるエアー供給ポンプ３５に接続されている。このエアー供給ポンプ３５はダイヤル式の流量調整部３５ａを有する流量調整タイプであって、このエアー供給ポンプ３５と上記切換送排気機構４５とは手元スイッチなどの制御装置３８によって発停が制御されるようになっている。
【００４９】
上記切換送排気機構４５は制御装置３８からの制御信号によって第１のグループＧ１のエアーチューブ２６と第２のグループＧ２のエアーチューブ２６とにエアー供給ポンプ３５からの圧縮空気を所定時間後とに交互に送ることができるようになっているとともに、送気されていないグループの圧縮空気をわずかずつ排気する第１の放散管４８が設けられている。この放散管４８は上記各供給管２７，２８に比べて十分に細管であって、その内径寸法と長さとによって排気量が制御できるようになっている。
【００５０】
上記切換送排気機構４５によって第１のグループＧ１と第２のグループＧ２とのエアーチューブ２６とに圧縮空気を交互に送るとともに、送気しないグループの圧縮空気を排気できるようにした。それによって、マットレス本体２０上に仰臥した利用者の身体のエアーチューブ２６によって支持される箇所は経時的に変化するから、同じ箇所が支持され続ける場合に比べて床擦れの発生を軽減することができる。
【００５１】
上記第１の供給管２７と第２の供給管２８との中途部にはそれぞれＴ字状ジョイント３９がその３つの接続部の２つに各供給管２７、２８を接続して介装されている。このジョイント３９の残りの接続部には、上記各供給管２７、２８に比べて十分に細径で、所定の長さ寸法に設定された第２の放散管４１の一端がそれぞれ接続されている。この放散管４１はシリコンなどの合成樹脂によってチューブ状に形成されており、その内径寸法と長さ寸法とによって所定の流路抵抗に設定されている。
【００５２】
上記第１の放散管４８と第２の放散管４１との他端は、図１に示すようにマットレス本体２０の上面側の長手方向中央部と両端部とに導かれている。それによって、ポンプ３５から各供給管２７、２８に供給された圧縮空気の一部は、上記放散管４１、４８を通って外装地２３内面側のマットレス本体２０の上面に放散されるから、その放散空気の乾燥作用によって、マットレス装置上に湿気がこもるのが防止されている。湿気は血行不良と相俟って身体が過湿気味となって床ずれの要因となるから、放散管４１から放散される空気は皮膚を乾燥させ、床ずれ防止に寄与することになる。
【００５３】
上記ポンプ３５からエアーチューブ２６に供給される圧縮空気の量と、上記放散管４１，４８から大気に放散される量とを制御することで、各グループＧ１，Ｇ２のエアーチューブ２６の硬さを制御できる。つまり、利用者の好みに応じた硬さのマットレス装置とすることができる。
【００５４】
上記マットレス本体２０の長手方向一端に設けられた軟質部材２４Ａには、長手方向一端部と他端部とのそれぞれの側面に開放した第１の収納部４６と第２の収納部４７とが形成されている。上記第１の収納部４６には上記エアー供給ポンプ３５が収納され、上記第２の収納部４７には上記切換送排気機構４５が収納されている。
【００５５】
上記第１の収納部４６の内面は断面三角形状の複数の凸部４９が所定間隔で形成された凹凸面となっており、上記エアー供給ポンプ３５は上下面が上記凸部４９によって弾性的に支持されている。エアー供給ポンプ３５が凸部４９によって部分的に支持されることで、作動時に生じる振動によって上記凸部４９が弾性的変形し易い。そのため、上記凸部４９はエアー供給ポンプ３５の振動を吸収することになるから、その振動がマットレス本体２０に伝播するのを防止できるようになっている。
【００５６】
上記マットレス本体２０の上記第１の収納部４６が形成された部分の周囲には保持手段としての保持バンド５０が設けられている。この保持バンド５０の両端部は図示しないベルベットファスナによって着脱可能となっており、第１の収納部４６の開口面を塞ぐ状態で両端部を係着させることで、この第１の収納部４６に収納されたエアー供給ポンプ３５が脱落するのを防止できるようになっている。
【００５７】
なお、切換送排機構４５は第２の収納部４７を弾性変形させて収納されている。それによって、切換送排機構４５は上記第２の収納部４６から脱落するのが防止されているが、第１の収納部４６と同様、保持バンド５０を設けて切換送排機構４５が脱落するのを防止してもよい。
【００５８】
第１の収納部４６に収納されたエアー供給ポンプ３５は、外装地２３の第１の収納部４６を覆う部分を介して外気を吸引する。そのため、外装地２３の一部は上記エアー供給ポンプ３５のフィルタとして作用するから、エアー供給ポンプ３５に設けられたフィルタ（図示せず）が早期に汚れるのが防止される。つまり、エアー供給ポンプ３５のフィルタ交換の周期を長くすることができる。
【００５９】
なお、上記外装地２３には、図６（ｂ）に示すように、マットレス本体２０の長手方向一端に対応する部分、つまり軟質部材２４Ａに対応する部分にファスナ５１が設けられている。したがって、このファスナ５１を開けば、上記第１、第２の収納部４６，４７を開放できるようになっている。
【００６０】
上記構成のエアーマットレス装置２１によれば、通気性を備えた弾性材料からなる保持部材２２に保持溝２５を形成し、その保持溝２５にエアーチューブ２６を弾性的に着脱自在に保持するようにしたから、エアーマットレス装置２１が全体として柔軟性を有する。
【００６１】
そのため、上記エアーマットレス装置２１を起床式のベッド装置１の床板７上に載置し、その床板７の第１の床部７ａを起上させる場合に、その起上操作を容易に行うことができるばかりか、第１の床部７ａの起上に応じて上記エアーマットレス装置２１を確実に屈曲させることができる。
【００６２】
エアーマットレス装置２１は柔軟性を有するが、その保持部材２２の周辺部には保持部材２２よりも硬質な弾性材料からなる補強部材２４が設けられている。そのため、エアーマットレス装置２１は、補強部材２４によってその外観形状が維持されるばかりか、周辺部が硬いためにへたりにくいなどのことがある。
【００６３】
上記エアーマットレス装置２１の各エアーチューブ２６は保持部材２２の幅方向に沿って設けられている。つまりエアーチューブ２６は床部７ａの起伏方向に対して交差する方向に沿って設けられている。
【００６４】
そのため、床部７ａを起上させることで保持部材２２が屈曲されても、上記エアーチューブ２６は屈曲されることがないから、そのことによっても床部７ａの起上操作を容易に行うことができるばかりか、エアーチューブ２６が繰り返して屈曲されることがないことにより、エアーチューブ２６が早期に損傷するのを防止できる。
【００６５】
上記エアーチューブ２６は保持部材２２の保持部２５に弾性的に着脱自在に保持されている。そのため、上記エアーチューブ２６を保持部材２２から簡単に取り外すことができるから、その保守点検や交換作業などを容易かつ迅速に行うことができる。
【００６６】
上記エアーチューブ２６を保持した保持溝２５には開口部２６が形成され、その開口部２６からエアーチューブ２６の一部が露出している。エアーチューブ２６は、利用者の荷重を受けたときに、その荷重を分散する体圧分散効果を有するから、利用者の身体の重い部分に大きな反発力が生じることがない。
【００６７】
そのため、利用者の重い部分、たとえば臀部などが強く圧迫されるのが防止されるから、寝心地が向上するばかりか、利用者が長期にわたって仰臥していても、床ずれが発生しにくくなる。
【００６８】
上記エアーチューブ２６は通気性を有する弾性材料からなる保持部材２２の保持溝２５に保持されている。そのため、エアーチューブ２６に通気性がなくとも、保持部材２２の通気性によって利用者の身体とエアーマットレス装置２１の上面との間に湿気がこもるのを防止できるから、寝心地が向上するばかりか床ずれも発生しにくくなる。
【００６９】
つまり、通気性を有する弾性材料からなる保持部材２２とエアーチューブ２６とを組み合わせてマットレス装置２１としたことで、通気性を有するとともに体圧分散効果を有し、さらに起床式のベッド装置１に用いた場合には、床部７ａの起上に応じて容易かつ確実に屈曲させることができる。
【００７０】
一方、第１のグループＧ１と第２のグループＧ２とのエアーチューブ２６にポンプ３５からの圧縮空気を供給する第１の供給管２７と第１の供給管２８との中途部にポンプ３５からの圧縮空気の一部をそれぞれ大気に放散させる第２の放散管４１を設けるようにした。
【００７１】
そのため、ポンプ３５から各エアーチューブ２６に圧縮空気が供給され、上記エアーチューブ２６の圧力が所定以上になると、圧縮空気の一部は上記第２の放散管４１から大気に放散されるから、上記エアーチューブ２６の圧力、つまり硬さが所定の状態に維持されることになる。
【００７２】
上記第２の放散管４１の流路抵抗は、その径と長さによって設定することができる。そのため、第２の放散管４１の径と長さによって流路抵抗を設定することで、エアーチューブ２６の硬さを利用者の好みや体重などに応じて設定することができる。たとえば、第２の放散管４１を短くすれば、その流路抵抗が減少するから、エアーチューブ２６の硬さを柔らかくすることができ、また内径を太くすることでも流路抵抗を減少させてエアーチューブ２６を柔らかくすることができる。なお、エアーチューブ２６を硬くする場合には第２の放散管４１を長くしたり、細くすればよいことになる。
【００７３】
上記エアーチューブ２６に急激な衝撃が加わると、エアーチューブ２６内の圧縮空気は供給管２７，２８に接続された放散管４１から大気に放散される。そのため、エアーチューブ２６内の圧力が急激に上昇し過ぎて損傷するのを防止することができる。
【００７４】
上記ポンプ３５は流量調節部３５ａを備えているから、この流量調節部３５ａによってポンプ３５から吐出される圧縮空気の流量を調節することができる。それによって、エアーチューブ２６への供給空気量を放散管４１から放散される空気量に応じて設定することで、エアーチューブ２６内の圧縮空気量をほぼ一定にできるから、上記エアーチューブ２６を最適な硬さに維持することができる。
【００７５】
第１の放散管４８と第２の放散管４１とから放散される圧縮空気をマットレス本体２０の上面側に放出させるようにした。そのため、その放散空気によってマットレス装置の上面に湿気がこもるのを防止できるから、湿気により利用者に床擦れが生じるのを防止することができる。
【００７６】
エアー供給ポンプ３５を軟質部材２４Ａに形成された第１の収納部４６に収納し、切換送排気機構４５を第２の収納部４７に収納し、さらに第１、第２の供給管２７，２８を保持部材２２と補強部材２４との隙間Ｓに通すことで、マットレス本体２０とエアー供給手段を構成する各機器類とを一体化するようにした。
【００７７】
そのため、エアー供給ポンプ３５や切換送排気機構４５が邪魔になるようなことがないばかりか、上記機器類の専用の設置場所を確保しなくてすみ、さらには第１、第２の供給管２７，２８が上記隙間Ｓに通されることで、不用意に潰されることがなくなるから、各エアチューブ６に対する圧縮空気の供給、排出を円滑に行うことができる。
【００７８】
第１の収納部４６の内面には凸部４９が形成され、その凸部４９によって第１の収納部４６に収納されたエアー供給ポンプ３５が支持されているから、エアー供給ポンプ３５が作動することで発生する振動は、上記凸部４９が弾性変形することで吸収される。そのため、エアー供給ポンプ３５の振動は周囲に伝播しにくくなるから、マットレス装置上に仰臥した利用者にその振動が伝わって不快感を与えるようなことがない。
【００７９】
しかも、第１の収納部４６が形成された軟質部材２４Ａは柔らかな弾性材料で形成されているから、そのことによっても、エアー供給ポンプ３５の振動が伝播しにくくなり、寝心地の低下を招くのが防止される。
【００８０】
上記第１の収納部４６に収納されたエアー供給ポンプ３５は保持バンド５０によって保持されている。そのため、マットレス装置を持ち運びしたり、折り畳むなどしても、上記エアー供給ポンプ３５が第１の収納部４６から脱落するようなことがない。
【００８１】
なお、この発明は上記一実施の形態に限定されず、種々変形可能である。たとえば、エアーバッグとしてチューブ状のエアーチューブを用いた場合について説明したが、エアーバッグの形状はチューブに限られず、保持部材の長手方向に対して所定の寸法を有する矩形板状などであってもよい。
また、上記一実施の形態ではエアーチューブを２つのグループに分け、それぞれのグループへの圧縮空気を供給する２つの供給管にそれぞれ第２の放散管を設けるようにしたが、エアーチューブをグループに分けない場合には第２の放散管を１つだけにしてもよく、また複数のグループに分けた場合でも、それぞれのグループに対応する供給管に第２の放散管を設けずに、ポンプの突出側に１つだけ第２の放散管を設けるようにしてもよい。さらに、各エアーチューブごとに第２の放散管を設けるようにしても差し支えない。
【００８２】
また、切換送排気機構に供給管よりも細径な第１の放散管を設けたことで、上記供給管に設けた第１の放散管との併用により、エアーバッグの圧力調整を一層、精度良く行うことができる。
【００８３】
また、上記一実施の形態ではエアーチューブを保持溝を形成した保持部材に設け、保持部材に補強部材を接着固定しているが、図７のごとく構成してもよい。すなわち、保持部材２２は、補強部材２４を省略して保持溝２５を設けず、その上面側に開放した凹部２２ａを形成し、その凹部２２ａに偏平袋状に形成された複数、この場合は３つのエアーバッグ２６Ａを並設収容保持する。
【００８４】
上記保持部材２２には第１、第２の収納部４６Ａ，４７Ａを形成し、これら収納部にそれぞれエアー供給ポンプ３５及び切換送排気機構４５を収納する。エアーバッグ２６Ａとエアー供給ポンプ３５及び切換送排気機構４５を接続する供給管２７，２８は、エアーバッグ２６Ａと凹部２２ａの内面との隙間Ｓに通すとともに、切換送排気機構４５及び各供給管２７，２８に接続される放散管４８，４１は開放端を各エアーバッグ２６Ａの上面側に導出する。
【００８５】
このような構成であっても、上記一実施の形態と同様の作用効果を奏することになる。
また、マットレス本体に収納部を形成し、そこにエアー供給ポンプや切換送排気機構などを収納したが、マットレス本体を発泡成形するときに、その内部に予め上記各機器を収納しておくようにしてもよい。
【００８６】
【発明の効果】
請求項１の発明によれば、エアー供給手段をマットレス本体内に設けるようにした。
そのため、エアー供給手段をマットレス本体と別々に設置せずにすむから、エアー供給手段が邪魔になることがないばかりか、専用の設置場所を確保せずにすむ。
【００９３】
また、マットレス本体の一側面に開口して形成された収納部にエアーポンプを収納したから、エアー供給ポンプの硬さがマットレス本体によって利用者に直接伝わるのが防止さ、さらにエアー供給ポンプから発生する熱が収納部の開口面から外部へ放出され、利用者に伝わることがないから、寝心地の低下を招くことがない。
【００９４】
さらに、収納部に収納されたエアー供給ポンプは外装地をフィルタとして外部の空気を吸引するから、エアー供給ポンプのフィルタが早期に汚れるのを防止できる。
【図面の簡単な説明】
【図１】この発明の第１の実施の形態のエアーマットレス装置を示す一部断面した斜視図。
【図２】同じくエアーマットレス装置の長手方向に沿う断面図。
【図３】同じく起上式のベッド装置の側面図。
【図４】同じく保持部材の保持溝の部分拡大断面図。
【図５】同じくエアーチューブへの圧縮空気の供給を制御するための系統図。
【図６】（ａ）は同じくマットレス本体の収納部が形成さた端部の斜視図、（ｂ）は同じく断面図。
【図７】この発明の第２の実施の形態のエアーマットレス装置を示す一部断面した平面図。
【符号の説明】
２０…マットレス本体
２２…保持部材
２３…外装地
２４…補強部材
２６…エアーチューブ（エアーバッグ）
２７，２８…供給管
３５…エアー供給ポンプ
４５…流量調整部
４５…切換送排気機構
４１、４８…放散管
４６，４７…収納部
【図１】
0003634170.tif 000002
【図２】
0003634170.tif 000003
【図３】
0003634170.tif 000004
【図４】
0003634170.tif 000005
【図５】
0003634170.tif 000006
【図６】
0003634170.tif 000007
【図７】
0003634170.tif 000008